(57)【要約】【課題】カードトレイの前面蓋部前端面が電子機器筐体の外観面より浮き上がる状態を防止でき、電子機器の見栄えを良くすることができる電子機器のカード接続構造の提供。【解決手段】カードＢが収容されるカードトレイ２と、トレイ挿入部を有するハウジング３と、トレイ挿入部内に突出するように前記ハウジングに配設された複数のコンタクトとを備え、電子機器の筐体外側面部に開口した筐体開口部Ａａを通してカードトレイ２を出し入れできるようにするとともに、筐体開口部Ａａに嵌り込む前面蓋部４をカードトレイ２の前端部に備え、前面蓋部４には、その外周面部より外向きに突出した保持用凸部３７を備え、前面蓋部３７が筐体開口部Ａａ内に嵌め込まれた際に、保持用凸部３７が前面蓋部４の外周面に支持されて筐体開口部Ａａの内側面に押し付けられる電子機器のカード接続構造。【選択図】図１
2016031781.tif 000002
【特許請求の範囲】
【請求項１】
電子機器内に内蔵された基板に実装したカードコネクタを使用し、カードを接続する構造であって、
前記カードコネクタには、カードが収容されるカードトレイと、該カードトレイが挿入されるトレイ挿入部を有するハウジングと、該トレイ挿入部内に突出するように前記ハウジングに配設された複数のコンタクトとを備え、電子機器の筐体外側面部に開口した筐体開口部を通して前記カードトレイを出し入れできるようにするとともに、前記カードトレイを前記トレイ挿入部に挿入した際に前記筐体開口部に嵌り込む前面蓋部を前記カードトレイの前端部に備えている電子機器のカード接続構造において、
前記前面蓋部には、その外周面部より外向きに突出した保持用凸部を備え、前記前面蓋部が前記筐体開口部内に嵌め込まれた際に、前記保持用凸部が前記前面蓋部の外周面に支持されて前記筐体開口部の内側面に押し付けられることにより、前記前面蓋部が前記筐体開口部内に蓋部前端面位置が筐体外観面位置と一致した状態で保持されるようにしたことを特徴とする電子機器のカード接続構造。
【請求項２】
前記保持用凸部は、前記前面蓋部の外周面部に保持させた環状の弾性部材により構成された請求項１に記載の電子機器のカード接続構造。
【請求項３】
前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出せるようにした請求項１又は２に記載の電子機器のカード接続構造。
【発明の詳細な説明】
【技術分野】
【０００１】
本発明は、携帯電話機やスマートフォン、その他の電子機器内にＩＣカードやフラッシュメモリーカード等のカードを接続するための電子機器のカード接続構造に関する。
【背景技術】
【０００２】
従来、携帯電話機やスマートフォン等の電子機器の外部記憶媒体には、ＩＣカードやフラッシュメモリーカード等のカードが使用されており、このカードと電子機器に内蔵された基板との電気的接続には、基板に実装されたカードコネクタを用いて接続する構造が広く採用されている（例えば、特許文献１を参照）。
【０００３】
この種の電子機器のカード接続構造では、電子機器内の基板に実装されたハウジングと、電子機器の筐体外側面部に開口した筐体開口部を通してハウジングに対し出し入れされるカードトレイと、ハウジング内に配設された複数のコンタクトとを備えているカードコネクタを使用し、筐体開口部を通してカードを収容したカードトレイをハウジングに対し挿抜することにより、カードの出し入れができるようになっている。
【０００４】
また、カードトレイの前端部には、筐体開口部内に嵌り込む前面蓋部が備えられ、カードトレイをハウジングに挿入した際には、前面蓋部の前端面が電子機器筐体の外観面と一体化し、電子機器の見栄えを良くしている。
【先行技術文献】
【特許文献】
【０００５】
【特許文献１】特開２０１４−２８９４号公報
【発明の概要】
【発明が解決しようとする課題】
【０００６】
しかしながら、上述の如き従来の技術では、電子機器筐体に対する基板の取付け位置及び基板に対するカードコネクタ（ハウジング）の取付け位置にズレが生じ、この様な取付け位置のズレは、公差の範囲内で許容されている。
【０００７】
一方、従来の技術では、上述のように取り付け位置のズレが公差の範囲内にあるので、設計上では、カードトレイをハウジングに挿入した状態において前面蓋部の前端面位置と筐体外観面位置とが一致した状態となるが、実際には、前面蓋部が筐体開口部に対して自由な状態にあるので、当該取付け位置のズレ等の影響により、前面蓋部と筐体外観面との位置が一致した状態を維持できず、カードトレイが適正にハウジングに挿入された状態にあっても前面蓋部の前端面が電子機器筐体の外観面より浮き上がった状態（以下、外観面のミスマッチという）を生じる虞があり、外観面のミスマッチが生じると電子機器の見栄えを損なうという問題があった。
【０００８】
そこで本発明は、このような従来の問題に鑑み、カードトレイの前面蓋部前端面が電子機器筐体の外観面より浮き上がる状態を防止でき、電子機器の見栄えを良くすることができる電子機器のカード接続構造の提供を目的としてなされたものである。
【課題を解決するための手段】
【０００９】
上述の如き従来の問題を解決し、所期の目的を達成するための請求項1に記載の発明の特徴は、電子機器内に内蔵された基板に実装したカードコネクタを使用し、該カードコネクタには、カードが収容されるカードトレイと、該カードトレイが挿入されるトレイ挿入部を有するハウジングと、該トレイ挿入部内に突出するように前記ハウジングに配設された複数のコンタクトとを備え、電子機器の筐体外側面部に開口した筐体開口部を通して前記カードトレイを出し入れできるようにするとともに、前記カードトレイを前記トレイ挿入部に挿入した際に前記筐体開口部に嵌り込む前面蓋部を前記カードトレイの前端部に備えている電子機器のカード接続構造において、前記前面蓋部には、その外周面より外向きに突出した保持用凸部を備え、前記前面蓋部が前記筐体開口部内に嵌め込まれた際に、前記保持用凸部が前記前面蓋部の外周面に支持されて前記筐体開口部の内側面に押し付けられることにより、前記前面蓋部が前記筐体開口部内に蓋部前端面位置が筐体外観面位置と一致した状態で保持されるようにした電子機器のカード接続構造にある。
【００１０】
請求項２に記載の発明の特徴は、請求項１の構成に加え、前記保持用凸部は、前記前面蓋部の外周面部に保持させた環状の弾性部材により構成されたことにある。
【００１１】
請求項３に記載の発明の特徴は、請求項１又は２の構成に加え、前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出せるようにしたことにある。
【発明の効果】
【００１２】
本発明に係る電子機器のカード接続構造は、上述したように、電子機器内に内蔵された基板に実装したカードコネクタを使用し、前記カードコネクタには、カードが収容されるカードトレイと、該カードトレイが挿入されるトレイ挿入部を有するハウジングと、該トレイ挿入部内に突出するように前記ハウジングに配設された複数のコンタクトとを備え、電子機器の筐体外側面部に開口した筐体開口部を通して前記カードトレイを出し入れできるようにするとともに、前記カードトレイを前記トレイ挿入部に挿入した際に前記筐体開口部に嵌り込む前面蓋部を前記カードトレイの前端部に備えている電子機器のカード接続構造において、前記前面蓋部には、その外周面部より外向きに突出した保持用凸部を備え、前記前面蓋部が前記筐体開口部内に嵌め込まれた際に、前記保持用凸部が前記前面蓋部の外周面に支持されて前記筐体開口部の内側面に押し付けられることにより、前記前面蓋部が前記筐体開口部内に蓋部前端面位置が筐体外観面位置と一致した状態で保持されるようにしたことにより、電子機器筐体に対する基板の取付け位置及び基板に対するハウジングの取付け位置のズレ等の影響がある場合であっても、前面蓋部をその前端面と筐体外観面との位置が一致した状態で維持でき、見栄えを保つことができる。
【００１３】
また、本発明において、前記保持用凸部は、前記前面蓋部の外周面部に保持させた環状の弾性部材により構成されたことにより、簡易な構造で保持用凸部を形成することができる。
【００１４】
更に、本発明において、前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出せるようにしたことにより、前面蓋部をその前端面と筐体外観面との位置が一致した状態で維持できることに加え、前面蓋部の不用意な抜け出しを防止することができる。
【図面の簡単な説明】
【００１５】
【図１】本発明に係る電子機器のカード接続構造の一例を示すシールドカバーの除いた部分破断横断面図である。
【図２】図１中のカードコネクタの一例を示す斜視図である。
【図３】同上の分解斜視図である。
【図４】図３中のカードトレイを示す斜視図である。
【図５】図４中の前面蓋部部分を示す拡大横断面図である。
【図６】本発明に係る電子機器のカード接続構造の一例を示す図であって、（ａ）はトレイ挿入時の横断断面図、（ｂ）は同縦断面図である。
【図７】（ａ）は同上のカードトレイ引き出し時の状態を示す部分破断断面図、（ｂ）は同縦断面図である。
【発明を実施するための形態】
【００１６】
次に、本発明に係る電子機器のカード接続構造の実施態様を図１〜図５に示した実施例に基づいて説明する。
【００１７】
尚、図中符号Ａは携帯電話機やスマートフォン等の電子機器、符号ＢはＩＣカード等のカード、符号Ｐは電子機器Ａに内蔵されたプリント配線基板等の基板である。また、本実施例においては、カードトレイ挿抜方向の手前側を前、奥側を後として説明する。
【００１８】
電子機器Ａには、プリント配線基板等の基板Ｐを内蔵するとともに、この基板Ｐに実装されたトレイ式のカードコネクタ１を備え、カードコネクタ１を用いてＩＣカード等のカードＢを出し入れ可能に接続できるようになっている。
【００１９】
この電子機器のカード接続構造では、電子機器筐体の外側面部に開口した筐体開口部Ａａを通してカードトレイ２を電子機器Ａ内に対し出し入れすることにより、電子機器Ａ内に配置したハウジング３に対しカードＢを着脱できるとともにカードトレイ２の前端部に備えられた前面蓋部４が筐体開口部Ａａに嵌り込み、前面蓋部４の前端面が電子機器筐体の外観面を構成する構造になっている。
【００２０】
また、この電子機器のカード接続構造では、電子機器筐体に対する基板Ｐの取付け位置及び基板Ｐに対するカードコネクタ１（ハウジング３）の取付け位置に所望の公差の範囲内でズレが許容され、カードトレイ２をハウジング３に挿入した状態においては、前面蓋部４がその前端面と筐体の外観面の位置とが一致した状態、即ち、前面蓋部４の前端面が筐体外観面と一体化した状態で筐体開口部Ａａに嵌り込むことができるようになっている。
【００２１】
カードＢは、例えば、矩形状のＩＣカードであって、片面側に複数の信号伝達用のパッド部ｂ１，ｂ１...を備えている。
【００２２】
カードコネクタ１は、図１、図２に示すように、カードＢが収容されるカードトレイ２と、カードトレイ２が挿入されるトレイ挿入部５を有するハウジング３と、トレイ挿入部５内に突出するようにハウジング３に配設された複数のコンタクト６，６...とを備え、筐体開口部Ａａを通してカードトレイ２をハウジング３に挿入することにより、カードトレイ２に収容されたカードＢの各パッド部ｂ１，ｂ１...が対応する各コンタクト６，６...と接触し、カードＢとカードコネクタ１が実装された基板とを電気的に接続するようになっている。
【００２３】
また、このカードコネクタ１は、カードトレイ２をハウジング３より取出すための取出し機構を備え、この取出し機構によりカードトレイ２をハウジング３及び電子機器Ａ筐体より取出せるようになっている。
【００２４】
ハウジング３は、図２に示すように、絶縁性合成樹脂製の底板部１２を有するハウジング本体１０と、導電性金属製のシールドカバー１１とを組み付けることによりトレイ挿入部５が前面に開口した中空箱状に形成され、前面の開口よりカードトレイ２を出し入れするようになっている。
【００２５】
ハウジング本体１０は、平板状の底板部１２と、底板部１２の両側縁部より立ち上げた形状の側壁部１３，１４とを備え、底板部１２と両側壁部１３，１４とによって、上面側が凹んだ形状のトレイ挿入部５が形成され、その上面がシールドカバー１１の天板によって覆われて前面に開口した中空箱状を成すようになっている。
【００２６】
このハウジング本体１０の底板部１２には、導電性金属板材を打ち抜き・折り曲げ加工することにより形成された複数のコンタクト６，６...がインサート成形により組み込まれ、各コンタクト６，６...の弾性接触片部１５，１５...がトレイ挿入部５内に突出し、弾性接触片部１５先端の接点１５ａがカードＢの対応するパッド部ｂ１と接触するようになっている。
【００２７】
また、このハウジング本体１０には、一方の側壁部１３の内側に棒状の操作用部材２０をトレイ挿抜方向でスライド移動可能に保持する操作用部材保持部２１を備え、この操作用部材保持部２１に操作用部材２０がトレイ挿抜方向で押し込み可能に備えられている。
【００２８】
そして、ハウジング３には、このトレイ挿抜方向に押し込み可能な操作用部材２０と、操作用部材２０の押し込み動作に連動してカードトレイ２を抜け出し方向に押し出すトレイ押出し手段とによってトレイ取出し機構が構成されている。
【００２９】
トレイ押出し手段は、ハウジング本体１０の操作用部材２０側後方に回動可能に配置された回動レバー２２を備え、この回動レバー２２は、操作用部材２０を押し込み方向に動作させることにより、回動レバー２２の一端２２ａが操作用部材２０の先端に押されることで回動し、それに伴い、回動レバー２２の他端２２ｂがカードトレイ２の後縁を抜き出し方向に押し出すようになっている。
【００３０】
操作用部材２０は、細長棒状に形成され、前端部に外向きに折り曲げた形状の被押圧部２３が一体に形成され、平面視逆Ｌ字状を成している。
【００３１】
カードトレイ２は、図４に示すように、カードＢが収容されるトレイ本体３０と、トレイ本体３０の前端部にフランジ状に固定された前面蓋部４とを備えている。
【００３２】
トレイ本体３０は、絶縁性合成樹脂材により平板状に形成され、片面側よりカードＢが嵌り込む板厚方向に貫通した矩形孔状のカード収容部３１を備えている。
【００３３】
尚、トレイ本体３０には、両側部にハウジング３に設けられたばね状の係合部材３２と係合する係合凹部３３，３３が形成され、この係合凹部３３，３３が係合部材３２と係合することにより、カードトレイ２がハウジング３に対し所謂ハーフロックされた状態となる。
【００３４】
カード収容部３１は、カードＢの形状に整合した矩形孔状に形成され、その底側内側縁部に内向きに張り出したカード支持部３４，３４を備え、このカード支持部３４，３４にカードＢの両側縁部を支持させることにより、信号伝達用のパッド部ｂ１，ｂ１...を底側に露出させた状態にカードＢを収容できるようになっている。
【００３５】
前面蓋部４は、筐体開口部Ａａに嵌り込む蓋本体３５と、蓋本体３５の後面に一体に突設された連結部３６とを備え、連結部３６をトレイ本体３０の前端部と連結することによりカードトレイ２の前端部にフランジ状に固定され、トレイ本体３０と前面蓋部４とが一体化されている。
【００３６】
蓋本体３５は、筐体開口部Ａａの形状に整合させて形成され、正面視角丸長方形状であってトレイ挿抜方向に一定の厚みを有する角丸直方体状を成し、電子機器筐体に形成された筐体開口部Ａａ内に嵌り込むようになっている。
【００３７】
また、蓋本体３５には、外周面に保持用凸部３７を備え、筐体開口部Ａａに嵌め込まれた際に、この保持用凸部３７が前面蓋部４（蓋本体３５）の外周面に支持されて筐体開口部Ａａの内周面に押し付けられるようになっている。
【００３８】
保持用凸部３７は、前面蓋部４の外周面部に保持させたＯリング等の環状の弾性部材により構成され、この弾性部材を蓋本体３５の外周面部に周方向に向けて形成された溝部３８に嵌合させることにより形成されている。
【００３９】
この弾性部材は、図５に示すように、その周方向断面が溝部３８の深さよりも大きく形成され、蓋本体３５の外周面より全周に亘って外向きに突出した状態に溝部３８に嵌合され、保持用凸部３７は、蓋本体３５の外周面より外向きに突出している。
【００４０】
また、蓋本体３５には、一方の側部後面に突出した凸部３９が一体に備えられ、蓋本体３５の前面に開口したトレイ挿抜方向に向けたピン挿通孔４０が操作用部材２０の位置と連続配置となるように形成され、このピン挿通孔４０に操作ピン４１がトレイ挿抜方向に移動可能に収容されている。
【００４１】
このピン挿通孔４０は、後端開口縁部に内向きに張り出した半割円形状の一対の抜け止め挟持部４２，４２を備え、両抜け止め挟持部４２，４２の後端縁部に後述する操作ピン４１の抜け出し防止部４３が係合するようになっている。
【００４２】
操作ピン４１は、丸棒状に形成され、その前端部にピン挿通孔４０に移動可能に嵌り込むピストン状のスライド部４４を備え、操作ピン４１の後端部には、外向きに張り出した形状の抜け出し防止部４３を備え、この抜け出し防止部４３がピン挿通孔４０の後端開口縁部、即ち、両抜け止め挟持部４２，４２と係合することにより操作ピン４１がピン挿通孔４０の前端開口より抜け出ないようになっている。
【００４３】
尚、上述した両抜け止め挟持部４２，４２は、互いに弾性変形可能に形成されており、操作ピン４１は、抜け出し防止部４３が両抜け止め挟持部４２，４２を押し開くことにより後端部を凸部３９の後端より突出させた状態にピン挿通孔４０内に収容できるようになっている。
【００４４】
そして、棒状のピン材４７を前端開口よりピン挿通孔４０に挿し込み、操作ピン４１の前端を押し込み方向に押圧することにより、操作ピン４１がピン挿通孔４０内を移動し、後端側が凸部３９の後端より突出し、操作用部材２０を後方に向けて押し込むようになっている。
【００４５】
このように構成された電子機器のカード接続構造では、図１に示すように筐体開口部Ａａを通してカードトレイ２を電子機器Ａ内に挿入すると、電子機器Ａ内に配置されたハウジング３のトレイ挿入部５にトレイ本体３０が挿入されるとともに、前面蓋部４が筐体開口部Ａａに嵌り込む。
【００４６】
その際、電子機器Ａ筐体に対する基板Ｐの取付け位置及び基板Ｐに対するカードコネクタ１（ハウジング３）の取付け位置に許容される公差範囲でズレがある場合には、カードトレイ２が適正にハウジング３に挿入されている場合であっても、当該位置ズレの影響により前面蓋部４を電子機器Ａ筐体の外観面より浮き上がらせた状態（外観面のミスマッチ）を生じせようとする。
【００４７】
しかし、本発明に係る電子機器のカード接続構造では、前面蓋部４の外周面部に保持用凸部３７を備え、保持用凸部３７が前面蓋部４の外周面に支持されて筐体開口部Ａａの内周面に押し付けられるので、保持用凸部３７と筐体開口部Ａａ内周面との間に生じる摩擦抵抗により前面蓋部４が筐体開口部Ａａ内に保持され、前面蓋部前端面と筐体外観面との面位置が一致した状態を維持でき、電子機器の見栄えを確保できるようになっている。
【００４８】
尚、本発明に係る電子機器のカード接続構造に使用するカードコネクタの態様は、上述の実施例に限定されず、例えば、図６、図７に示すように、前面蓋部６１をカードＢが収容されるトレイ本体６０の前端部にトレイ本体６０に対し前後方向で相対移動可能に備えるとともに、トレイ本体６０に対し所望の引き出し位置まで相対移動させた前面蓋部６１に作用するトレイ引き出し方向の力をトレイ本体６０に伝達する伝達手段とを備え、トレイ本体６０に対し前面蓋部６１を相対移動させ、前面蓋部６１を摘み代としてカードトレイ５１を引き出せるようにしたカードコネクタ５０であってもよい。
【００４９】
このカードコネクタ５０は、カードＢが収容されるカードトレイ５１と、カードトレイ５１が挿入されるトレイ挿入部５２を有するハウジング５３と、トレイ挿入部５２内に突出するようにハウジング５３に配設された複数のコンタクト５４，５４...とを備え、筐体開口部Ａａを通してカードトレイ５１をハウジング５３に挿入することにより、カードトレイ５１に収容されたカードＢの各パッド部ｂ１，ｂ１...が対応する各コンタクト５４，５４...と接触し、カードＢとカードコネクタ５０が実装された基板とを電気的に接続するようになっている。
【００５０】
カードトレイ５１は、カードＢが収容されるトレイ本体６０と、トレイ本体６０の前端部にトレイ本体６０に対し互いにトレイ挿抜方向で相対移動可能な前面蓋部６１とを備えている。
【００５１】
トレイ本体６０は、絶縁性合成樹脂材により平板状に形成され、底側にカードＢが嵌り込む凹状のカード収容部６２を備え、信号伝達用のパッド部ｂ１，ｂ１...を底側に露出させた状態にカードＢを収容できるようになっている。
【００５２】
また、トレイ本体６０には、両側部にハウジングに設けられたばね状の係合部材６３，６３と係合する係合凹部６４，６４が形成され、この係合凹部６４，６４が係合部材６３，６３と係合することにより、カードトレイ５１がハウジング５３に対し保持されるようになっている。
【００５３】
また、トレイ本体６０の前端部には、前方に開口した接合凹部６５を備え、この接合凹部６５内に前面蓋部６１に備えられた接合凸部６６が挿入されるようになっている。
【００５４】
接合凹部６５は、トレイ本体６０がそのトレイ引き出し方向側端部のトレイ幅方向に間隔を置いて形成された一対の支持部６７，６７を有することにより、トレイ本体６０のトレイ引き出し方向端部に前面蓋部６１側及び本体厚み側に開口した矩形切欠き状に形成されている。
【００５５】
両支持部６７，６７は、トレイ本体６０の他の部分の板厚に比して厚い形状に形成され、カードトレイ５１をハウジング５３に挿入した際に、支持部６７，６７のトレイ挿入方向側端面がハウジング５３の端面に当て止めされるようになっている。
【００５６】
また、この接合凹部６５には、両支持部６７，６７に両端を支持させた棒状の当て止め部材６８が接合凹部６５の互いに対向する内側面間に架け渡した配置に備えられ、この当て止め部材６８が接合凸部６６に形成されたスライド孔６９に挿入されるようになっている。
【００５７】
前面蓋部６１は、筐体開口部Ａａに嵌り込む蓋本体７０と、蓋本体７０の後面より突出した接合凸部６６とを備えている。
【００５８】
蓋本体７０は、筐体開口部Ａａの形状に整合させて形成され、正面視矩形状であってトレイ挿抜方向に一定の厚みを有する矩形直方体状を成し、電子機器筐体に形成された筐体開口部Ａａ内に嵌り込むようになっている。
【００５９】
また、蓋本体７０には、外周面に保持用凸部７１を備え、筐体開口部Ａａに嵌め込まれた際に、この保持用凸部７１が前面蓋部６１（蓋本体７０）の外周面に支持されて筐体開口部Ａａの内周面に押し付けられるようになっている。
【００６０】
保持用凸部７１は、前面蓋部６１の外周面部に保持させたＯリング等の環状の弾性部材により構成され、この弾性部材を蓋本体７１の外周面部に周方向に向けて形成された溝部７２に嵌合させることにより形成されている。
【００６１】
この弾性部材は、その周方向断面が溝部７２の深さよりも大きく形成され、蓋本体７１の外周面より全周に亘って外向きに突出した状態に溝部７２に嵌合され、保持用凸部７１は、蓋本体７０の外周面より外向きに突出している。
【００６２】
接合凸部６６は、直方体状に形成され、トレイ幅方向両端面に開口したスライド挿抜方向に長い長孔状のスライド孔６９を備え、このスライド孔６９内に当て止め部材６８が挿入されることにより、トレイ本体６０に対し前後方向で前面蓋部６１が相対移動可能となっている。
【００６３】
即ち、前面蓋部６１は、図６に示す通常位置、即ち、接合凸部６６を接合凹部６５のトレイ挿入方向奥側まで挿入させた位置と、図７に示す所定の引き出し位置、即ちトレイ本体６０に支持された当て止め部材６８がスライド孔６９のトレイ挿入方向端部内縁６９ａに当て止めされる位置との間でスライド移動することができるようになっている。
【００６４】
また、トレイ本体６０に対し所望の引き出し位置まで前面蓋部６１を相対移動させた際には、当て止め部材６８にスライド孔６９のトレイ挿入方向端部内縁６９ａが当て止めされ、当て止め部材６８とスライド孔６９のトレイ挿入方向端部内縁６９ａとが伝達手段を構成し、前面蓋部６１にトレイ引き出し方向の力が作用すると、スライド孔６９のトレイ挿入方向端部内縁６９ａが当て止め部材６８をトレイ引き出し方向に向けて押圧し、それにより当て止め部材６８を介してトレイ本体６０に前面蓋部６１に作用するトレイ引き出し方向の力が伝達されるようになっている。
【００６５】
また、蓋本体７０の下縁部には、下向きに突出した引掛け部７３を備え、前面蓋部６１をトレイ本体６０から引き出す際に、蓋本体７０の縁部に人体の指の爪等が引っ掛け易いようになっている。
【００６６】
その際、接合凹部６５に接合凸部６６が嵌り込み、前面蓋部６１は、トレイ本体６０に対し引き出し方向にのみ相対移動可能な状態になっている。
【００６７】
このように構成された電子機器のカード接続構造においては、前面蓋部６１の外周面部に保持用突部７１を備え、その外周面に支持されて筐体開口部Ａａの内周面に押し付けられ、保持用凸部７１と筐体開口部Ａａ内周面との間に生じる摩擦抵抗により前面蓋部６１が筐体開口部Ａａ内に保持されることにより、前面蓋部６１の前端面と電子機器Ａの筐体外観面との面位置が一致した状態を維持できるとともに、トレイ本体６０に対し引き出し方向に相対移動可能な前面蓋部６１が容易に移動しないように保持することもできる。
【００６８】
尚、上述の各実施例においては、保持用凸部を環状の弾性部材により構成し、前面蓋部の外周面全周に亘って保持用凸部が配置された例について説明したが、保持用凸部の態様はこれに限定されず、例えば、一体成形により保持用凸部を前面蓋部と一体に備えるようにしてもよく、複数の保持用凸部を前面蓋部の外周面に周方向に間隔を置いて配置するようにしてもよい。
【００６９】
また、カードトレイを取り出す手段は、上述に実施例に限定されず、例えば、ハートカムを使用したプッシュイン・プッシュアウト方式のトレイ取出し機構を備えたカードコネクタであってもよい。
【００７０】
尚、カードの態様は、上述の各実施例に示したＩＣカードに限定されず、その他の例えば、フラッシュメモリーカード等のであってもよい。
【符号の説明】
【００７１】
Ａ  電子機器
Ａａ  筐体開口部
Ｂ  カード
ｂ１  パッド部
１  カードコネクタ
２  カードトレイ
３  ハウジング
４  前面蓋部
５  トレイ挿入部
６  コンタクト
１０  ハウジング本体
１１  シールドカバー
１２  底板部
１３，１４  側壁部
１５  弾性接触片
１５ａ  接点
２０  操作用部材
２１  操作用部材保持部
２２  回動レバー
２３  被押圧部
３０  トレイ本体
３１  カード収容部
３２  係合部材
３３  係合凹部
３４  カード支持部
３５  蓋本体
３６  連結部
３７  保持用凸部
３８  溝部
３９  凸部
４０  ピン挿通孔
４１  操作ピン
４２  抜け止め挟持部
４３  抜け出し防止部
４４  スライド部
４７  ピン部材
５０  カードコネクタ
５１  カードトレイ
５２  トレイ挿入部
５３  ハウジング
５４  コンタクト
５５  底板部
５６  ハウジング本体
５７  シールドカバー
５８，５９  側壁部
６０  トレイ本体
６１  前面蓋部
６２  カード収容部
６３  係合部材
６４  係合凹部
６５  接合凹部
６６  接合凸部
６７  支持部
６８  当て止め部材
６９  スライド孔
７０  蓋本体
７１  蓋用止水部材
７２  溝部
７３  引掛け部
【図１】
2016031781.tif 000003
【図２】
2016031781.tif 000004
【図３】
2016031781.tif 000005
【図４】
2016031781.tif 000006
【図５】
2016031781.tif 000007
【図６】
2016031781.tif 000008
【図７】
2016031781.tif 000009